(57)【特許請求の範囲】
【請求項１】
１対のレンズと、前記１対のレンズを固定し連結する剛性のあるフレームと、から構成されるレンズ部と、
前記フレームを人体頭部の眼窩に圧着するための、前記フレームの外端部にその両端が結合された弾性バンドと、
音信号を受信する通信部と、
前記通信部により受信した音信号に基づいて振動する圧電素子と、を備えるゴーグルであって、
前記フレームに取り付け可能な、剛性のある取付フレームを有し、
前記取付フレームは、前記レンズとの対向位置に形成された空洞と、前記フレームに接触した状態で該取付フレームを前記フレームに取り付ける取付機構と、を備え、
前記圧電素子は、前記取付フレームに埋設され、前記圧電素子の振動が、前記取付フレーム及び前記レンズ部を介してゴーグル装着者の頭蓋骨に伝搬することを特徴とするゴーグル。
【発明の詳細な説明】
【技術分野】
【０００１】
本発明は、頭蓋骨の振動により音を聞き取らせる骨伝導スピーカを搭載したゴーグルに関する。
【背景技術】
【０００２】
様々な分野で利用されるゴーグル（例えばスポーツ用具、外科用医療用具、または溶接用具などの分野で利用される）は、元来、眼に異物が入ることを防ぐことを目的にして設計されている。しかし、近年のゴーグルの中には、上述の眼に異物が入ることを防ぐ機構の他に、ゴーグル装着者に音を聞き取らせるためのスピーカやイアフォンを搭載したものがある。以下、特許文献１によって提案されている、スポーツ用具として用いられるゴーグルを例に挙げて、その機構、機能を説明する。
【０００３】
図８に、特許文献１記載のゴーグルの説明図を示す。特許文献１によって提案されているゴーグルは、レンズ部１０１（以下、１対のレンズ１１１と、それぞれのレンズを囲む環状フレーム１１２と、２つの環状フレームを隣り合わせにして固定し連結するブリッジ１１３と、から構成される部材をレンズ部と称し、また、環状フレーム１１２とブリッジ１１３とから構成される部材をフレームと称する。）、フレームにおけるレンズの並び方向の外端部に、その両端が接続されたバンド部１０２、バンド部１０２に設けられた通信ユニット１０３、バンド部１０２と一体形成されたリード線１０４を介して通信ユニット１０３によって受信した音信号を入力し、音出力するイアフォン１０５、から構成される。
【０００４】
図８に示すゴーグルは、水泳用ゴーグルを想定している。このゴーグルを装着した水泳者は、通信ユニット１０３による無線通信によって受信した音信号（この音信号は、陸上にいる他者、例えば指導者など、が水泳者に対して発した音声を入力し、その音声を無線通信によって送信する送信装置によって送信される）が水泳者の耳に挿入されたイアフォン１０５によって音出力されることによって、その音声を認識することになる。このゴーグルを装着した水泳者は、水中にいるときでも陸上にいる他者からの音声を鮮明に聞き取ることができるため、また陸上にいる他者は、上記のイアフォンを搭載していないゴーグルを装着した水泳者に対してするように、大声を出す必要もないため、他者から水泳者への円滑なコミュニケーションを実現することができる。
【特許文献１】特開２００３−１０２８９４号公報
【発明の開示】
【発明が解決しようとする課題】
【０００５】
しかしながら、特許文献１のゴーグルは、耳の穴を塞ぐ耳栓のようにイアフォンを嵌め込む機構であるため、水泳中に耳の穴とイアフォンとの密着程度が緩くなったり、抜け落ちてしまう可能性がある。特に、水泳競技を行う際には、水流による外力がイアフォンにも働くため、耳の穴とイアフォンとの密着程度がより緩くなり易い。このため、ゴーグル装着者は、イアフォンからの音出力を聞き取ることが困難になってしまう。
【０００６】
また、音波の振動によって音を出力するイアフォンの代わりに頭蓋骨の振動により音を認識させる骨伝導スピーカを用いた構成についても記載されているが、骨伝導スピーカを用いた場合、上述のように水泳者との密着程度が緩くなると、イアフォン以上に音を聞き取ることができなくなる恐れがある。
【０００７】
本発明は、上記事情に鑑みてなされたもので、骨伝導スピーカを搭載したゴーグルであって、ゴーグル装着者に骨伝導聴力による音を鮮明に聞き取らせることができるゴーグルを提供することを目的とする。
【課題を解決するための手段】
【０００８】
本発明のゴーグルは、１対のレンズと、前記１対のレンズを固定し連結する剛性のあるフレームと、から構成されるレンズ部と、前記フレームを人体頭部の眼窩に圧着するための、前記フレームの外端部にその両端が結合された弾性バンドと、音信号を受信する通信部と、前記通信部により受信した音信号に基づいて振動する圧電素子と、を備えるゴーグルであって、前記フレームに取り付け可能な、剛性のある取付フレームを有し、前記取付フレームは、前記レンズとの対向位置に形成された空洞と、前記フレームに接触した状態で該取付フレームを前記フレームに取り付ける取付機構と、を備え、前記圧電素子は、前記取付フレームに埋設され、前記圧電素子の振動が、前記取付フレーム及び前記レンズ部を介してゴーグル装着者の頭蓋骨に伝搬することを特徴とするものである。
【００１１】
この構成によれば、レンズ部は弾性バンドの弾性力によって人体頭部の眼窩に圧着されるためレンズ部と人体頭部との密着程度が緩むことはなく、かつ、圧電素子の振動は剛性を有する取付フレーム及びレンズ部を介して減衰すること無く頭蓋骨に伝搬するため、ゴーグル装着者は、ゴーグル装着中にゴーグルに対して強い外力が働いても、圧電素子との密着程度が緩むこと無く、骨伝導聴力によって鮮明な音を聞き取ることができる。
【発明の効果】
【００２１】
本発明のゴーグルによれば、骨伝導スピーカを搭載したゴーグル装着者に、骨伝導聴力による音を鮮明に聞き取らせることができる。
【発明を実施するための最良の形態】
【００２２】
本発明のゴーグルを実施するための最良の形態について、以下の第１実施形態から第５実施形態におけるゴーグルを参照して詳細に説明する。
【００２３】
（第１実施形態）
本発明の第１実施形態のゴーグルについて説明する。図１に、本発明の第１実施形態のゴーグルの斜視図を示す。本発明の第１実施形態のゴーグルは、レンズ部１、バンド２、通信ユニット３、リード線４、圧電素子５、とから構成される。
【００２４】
レンズ部１は、１対の透過性の高いレンズ１１と、それぞれのレンズ１１を囲む環状フレーム１２と、２つの環状フレーム１２を隣り合わせにして連結するブリッジ１３と、から構成される。環状フレーム１２は通常、剛性のあるプラスティク素材でできている。また、ブリッジ１３は、２つの環状フレーム１２にある程度の可動性（レンズ部１を人体頭部の眼窩に装着時に、環状フレーム１２の装着位置を微調整できる程度の可動性）をもたせることができるシリコン様軟質性素材でできている。なお、環状フレーム１２とブリッジ１３とを併せてフレームと称する。
【００２５】
バンド２は、伸縮自在なゴム製素材によって形成されている。環状のバンド２は、フレームにおけるレンズ１１の並び方向の外端部１４を貫通して、レンズ部１と連結している。また、バンド２の一部には、バンド長調節部２１が設けられており、ゴーグル利用者は、このバンド長調節部２１によってバンドの長さを適宜調節する。人体頭部にゴーグルを装着した際には、バンド２の弾性力を利用して、レンズ部２を人体頭部の眼窩に圧着させることになる。なお、バンド長調節部２１の機構は、近年のゴーグルが備える各種バンド長調節機構を適用可能である。
【００２６】
通信ユニット３は、アンテナ、無線回路、および電源用電池（それぞれ図示せず）を防水加工の施されたケースに収容したものである。通信ユニット３による通信方式の１例を説明する。ゴーグル装着者に伝えるべき音信号（音信号は、例えば、陸上にいる他者の音声をマイクによって収音したもの）を送信する送信装置（図示せず）は、予め通信ユニット３毎に割り当てられた周波数を音信号に基づいてＦＭ変調し、そのＦＭ変調した電波を送信する。一方、通信ユニット３の無線回路は、アンテナを介して受信した、自身に割り当てられた周波数の電波を復調し、音信号を抽出する。このような通信方式は、予め割り当てられた周波数に通信ユニット３が復調に利用する周波数を同調させる操作をゴーグル利用者が行なう必要がある。このため、通信ユニット３には、この操作を行うための操作部を設ける必要があり、さらにその操作部に対しても防水加工を施す必要が生じる。また、本発明のゴーグルの利用者には視覚障害者も含まれており、視覚障害者がこの操作を行なうことは非常に困難である。
【００２７】
そこで、本発明のゴーグルに備わる通信ユニット３の通信方式として、上記のものとは異なる別の通信方式についても説明する。すなわち、送信装置は、同一周波数によるデジタル無線通信を行い、通信ユニット３毎に割り振られている識別ＩＤを指定し、ヘッダ部分にその識別ＩＤを付与した音データを送信する。一方、通信ユニット３は、自身に割り振られている識別ＩＤがヘッダ部分に付与されている音声データのみを抽出し、音信号に変換する。この構成により、ゴーグル利用者による無線通信を行うための操作を省くことができ、また、通信ユニットの構成を簡素化することができる。
【００２８】
また、通信ユニット３は、バンド２に設けられている。ここで、バンド２と通信ユニット３との連結例を説明する。連結例の１例としては、人体頭部にゴーグルを装着時、後頭部付近に位置するバンド２の箇所に、通信ユニット３を接着することが挙げられる。後頭部付近としたのは、ゴーグルを必要とする競技を行なう上で最も邪魔になり難いのがこの箇所であるためである（例えば水泳競技の場合、頭部右側面、頭部左側面に通信部があると、頭部右側と頭部左側における水流が異なるために左右に働く抵抗が異なり、その結果、頭部の左右方向に余計な外力が働いてしまう）。なお、通信ユニット３は、バンド２が通信ユニット３を人体頭部に押し付けることがないよう、バンド２における人体頭部に接していない面に接着した方が好ましい。
【００２９】
また、バンド２と通信ユニット３との別の連結例としては、通信ユニット３が備える下記のような機構によって、バンド２に連結することが考えられる。図２に、本発明の第１実施形態のゴーグルが備える通信ユニットの斜視図を示す。通信ユニット３は、通信ユニット３の側面に設けられた、バンド２を固定する固定部材３１と、固定部材３１によるバンド２固定時に、バンド２が通信ユニット３の側面に収納されるべき収納溝３２と、が設けられている。固定部材３１は、その一箇所が通信ユニット３と一体化し（図２（ａ）では、固定部材３１の一辺が通信ユニット３と一体化）、その一体化した箇所を起点として回動可能になっており、固定部材３１と固定部材３１が固定時に収まるべき通信ユニット３の凹部とによってバンド２を挟んで固定（固定部材３１に設けられた凸型爪３１１と、通信ユニット３本体に設けられた凹型爪３１２と、を噛み合せることにより固定）することにより、バンド２に通信ユニット３を固定する（図２（ｂ）参照）。この通信ユニット３の機構により、通信ユニット３のバンド２への取り外しが容易になる。
【００３０】
なお、次に述べるリード線４と通信ユニット３の無線回路を接続するために、固定部材３１が固定時に収まるべき通信ユニット３の凹部に接続端子３３を設け、その接続端子３３にリード線４の一部を接触させるようにする。このとき、固定部材３１が固定時に収まるべき通信ユニット３の凹部の外周には、接続端子３３周辺から通信ユニット３内部への水の浸入を防ぐために、ゴム素材３４を貼り付ける。
【００３１】
リード線４は、通信ユニット３の無線回路と後述する圧電素子５とを電気的に接続するものである。リード線４は、バンド２外にゴム素材に被覆された専用線として設ける構成が考えられる。通信ユニット３の無線回路へのリード線４の接続機構の例としては、通信ユニット３を固定部材３１によって固定する場合、リード線４にも接続端子４１を設け、固定部材３１による固定時にこれら接続端子を接触させる、あるいは、通信ユニット３の無線回路とリード線４とを接続した状態で通信ユニットケースとリード線外皮のゴム素材とを一体化して形成し、通信ユニットケースの一部からリード線４が突出する形態とする、が挙げられる。
【００３２】
圧電素子５（図１では長方形形状）は、レンズ部１のフレームに埋設され、フレームと一体形成されている。また、圧電素子５は、音声通信ユニット３によって受信した音信号をリード線４を介して入力し、その音信号に応じて振動する。圧電素子５の振動によって剛性のあるフレームもまた同様に振動するため、従って、圧電素子５の振動がフレームを介して頭蓋骨に伝搬することになる。圧電素子５の埋設箇所は、図１では（図３に示す本発明の第１実施形態のゴーグルの平面図も参照のこと）、ゴーグル装着者の視界を妨げないようにレンズ部１の外端部１４付近にしている。圧電素子５とリード線４との接続機構は、リード線４と圧電素子５を接触させた状態でレンズ部１とリード線４外皮のゴム素材とを一体形成することにより接続するものである。
【００３３】
なお、圧電素子５の形状は、上述の形状に限るものではなく、棒状の形状であっても良いし、レンズ１１を囲む環状形状にしても良い。また、圧電素子５の埋設箇所は、圧電素子５がフレームによって被覆されることが可能な箇所であれば、ゴーグル装着者が聴く音の音質にほとんど支障はないが、人体頭部の眼窩に近い箇所であるほど好ましい。
【００３４】
本発明の第１実施形態のゴーグルによれば、レンズ部１はバンド２の強力な弾性力によって人体頭部の眼窩に圧着されるためレンズ部１と人体頭部との密着程度が緩むことはなく、かつ、圧電素子５の振動は剛性を有するレンズ部１によって減衰すること無く頭蓋骨に伝搬するため、ゴーグル装着者は、ゴーグル装着中にゴーグルに対して強い外力が働いても、圧電素子５との密着程度が緩むこと無く、骨伝導聴力によって鮮明な音を聞き取ることができる。
【００３５】
（第２実施形態）
本発明の第２実施形態のゴーグルについて説明する。本発明の第２の実施形態のゴーグルの構成は、第１実施形態のゴーグルと共通であるが、フレームへの圧電素子５の埋設形態が異なる。図４に、本発明の第２実施形態のゴーグルにおけるフレームの断面図を示す。第２の実施形態において、第１実施形態と同一の参照符号を付与した箇所の機能は、第１実施形態で説明した通りであるため、説明を省略する。
【００３６】
圧電素子５は、図４に示すように、レンズ部１のフレームからその一部が露出し、かつ、その一部がフレームから人体頭部の眼窩方向に突出するように、フレームに埋設されている。圧電素子５の上記突出した一部は、ゴーグル装着時、人体頭部の眼窩によってレンズ部１方向に押し戻されフレームに収容される一方で、圧電素子５と連結され圧電素子５とフレーム間に配設されたゴム素材５１によって、人体頭部の眼窩方向に押し返される。圧電素子５は、ゴム素材５１の弾性力に応じた適度な加減で、人体頭部の眼窩に圧着されることになる。
【００３７】
圧電素子５はまた、ゴーグルの非装着時にレンズ部１から抜け落ちてしまうことがないよう、先端になるほど形状が大きくなる、圧電素子５の一部位である凸型係止部５２が、フレームに設けられた空洞である凹型係止部１２１に嵌め込まれている。圧電素子５は、凸型係止部５２とリード線４とが接続するよう形成されることによって、リード線４から音信号を入力することになる。なお、ゴーグル装着時には、外力が加わり変形したゴム素材５１が凹型係止部１２１の空洞部に蓋をするように密着するため、凸型係止部５２、凹型係止部１２１、およびリード線４へ水が浸入することはなく、従って、ゴム素材５１が防水加工用素材の役割も果たしている。
【００３８】
本発明の第２実施形態のゴーグルによれば、圧電素子５はバンド２の強力な弾性力によって人体頭部の眼窩に圧着されることにより圧電素子５と人体頭部との密着程度が緩むことはないため、ゴーグル装着者は、ゴーグル装着中にゴーグルに対して強い外力が働いても、圧電素子５との密着程度が緩むこと無く、骨伝導聴力によって鮮明な音を聞き取ることができる。
【００３９】
（第３実施形態）
本発明の第３実施形態のゴーグルについて説明する。本発明の第３の実施形態のゴーグルの構成は、第１、２実施形態のゴーグルと共通であるが、圧電素子５の配置形態が異なる。図５に、本発明の第３実施形態のゴーグルにおけるフレームの斜視図を示す。第３の実施形態において、第１、２実施形態と同一の参照符号を付与した箇所の機能は、第１、２実施形態で説明した通りであるため、説明を省略する。
【００４０】
圧電素子５は、プラスチック等の剛性のある素材によって薄い平面状に形成された平面ケース６によって被覆されている。平面ケース６は、バンド２における、ゴーグルを装着時に人体頭部に面している箇所に接着されている。平面ケース６に被覆された圧電素子５をこのような箇所に配置することにより、バンド２の弾性力によって平面ケース６が人体頭部との密着程度が緩むことなく確実に人体頭部に圧着することができる。また、平面ケース６の形状が薄ければ、図５のように平面ケース６が人体頭部側面に設けられていても、頭部右側と頭部左側における水流に違いはほとんど生じず、従って、水泳時に頭部に働く外力を極めて抑制することができる。なお、接着箇所としては、後頭部付近とすることが好適である。また、圧電素子５とリード線４との接続機構は、リード線４と圧電素子５を接触させた状態で平面ケース６とリード線４外皮のゴム素材とを一体形成することにより接続するものである。
【００４１】
本発明の第３実施形態のゴーグルによれば、圧電素子５はバンド２の強力な弾性力によって人体頭部に圧着されるため、ゴーグル装着者は、ゴーグル装着中にゴーグルに対して強い外力が働いても、圧電素子５との密着程度が緩むこと無く、骨伝導聴力によって鮮明な音を聞き取ることができる。また、この構成であれば、平面ケース６をバンド２上の任意の箇所に接着することができるため、ゴーグル装着者が最も好ましい箇所（例えば、長い髪を縛った後にゴーグルを装着する場合には、縛った髪を圧着しないバンド２の箇所に平面ケース２があることが好ましいと考えられる）に平面ケース６を接着することにより、ゴーグルを快適に装着することができる。また、ゴーグルと、通信ユニットと圧電素子からなる通信装置と、をそれぞれ別々に製作し、販売することも可能であるため、当該通信装置のみを購入し、既に利用しているゴーグルにその通信装置を固定することによって、本発明のゴーグルを利用するための消費者の経済的負担を軽減することができる。
【００４２】
（第４実施形態）
本発明の第４実施形態のゴーグルについて説明する。本発明の第４の実施形態のゴーグルの構成は、第１、２、３実施形態のゴーグルと共通であるが、圧電素子５の配置形態が異なる。図６に、本発明の第４実施形態のゴーグルが備える通信ユニットの斜視図を示す。第４の実施形態において、第１、２、３実施形態と同一の参照符号を付与した箇所の機能は、第１、２、３実施形態で説明した通りであるため、説明を省略する。
【００４３】
圧電素子５は、図６（ａ）に示すように、第１実施形態で述べた通信ユニット３の固定部材３１によって被覆されるように一体形成されている。このように一体形成することにより、通信ユニット３の無線回路と圧電素子５とを電気的に接続するリード線４を設ける必要がなくなり、ゴーグル構成を簡素化することができる。なお、通信ユニット３の無線回路と圧電素子５との接続機構は、例えば、固定部材３１に設けられた凸型爪３１１と通信ユニット３本体に設けられた凹型爪３１２との一部（または全部）がそれぞれ導体を含み、圧電素子５は、固定部材３１に設けられた凸型爪３１１の導体と導通しており、通信ユニット３の無線回路もまた、通信ユニット３本体に設けられた凹型爪３１２の導体と導通している構成であって、固定部材３１と固定部材３１が固定時に収まるべき通信ユニット３の凹部とによってバンド２を挟んで固定したときに、噛み合せた凸型爪３１１、凹型爪３１２それぞれの導体が導通することにより、通信ユニット３の無線回路と圧電素子５とが電気的に接続する機構である。
【００４４】
この構成により、固定部材３１によって被覆された圧電素子５は、通信ユニット３をバンド２に固定時、バンド２における人体頭部に接する側に固定されることになり、一方、通信ユニット３は、バンド２における人体頭部に接していない面に固定されることになる。なお、通信ユニット３は、ゴーグルを必要とする競技を行なう上で最も邪魔になり難い、バンド２における後頭部付近に固定することが好ましい。
【００４５】
本発明の第４実施形態のゴーグルによれば、圧電素子５はバンド２の強力な弾性力によって人体頭部に圧着されるため、ゴーグル装着者は、ゴーグル装着中にゴーグルに対して強い外力が働いても、圧電素子５との密着程度が緩むこと無く、骨伝導聴力によって鮮明な音を聞き取ることができる。また、この構成であれば、通信ユニット３と圧電素子５が一体化しており、第１、２、３実施形態のように通信ユニット３と圧電素子５を接続するリード線４を設ける必要が無いため、ゴーグルの構成を簡素化することができる。また、ゴーグルと、通信ユニットと圧電素子からなる通信装置と、をそれぞれ独立に製作することができるため、既に購入したゴーグルに対して新しく購入した通信装置を固定することによって、本発明のゴーグルを利用するための消費者の経済的負担を軽減することができる。
【００４６】
（第５実施形態）
本発明の第５実施形態のゴーグルについて説明する。本発明の第５の実施形態のゴーグルの構成は、第１、２、３、４実施形態のゴーグルと共通であるが、圧電素子５の配置形態が異なる。図７に、本発明の第４実施形態のゴーグルが備える通信ユニットの斜視図を示す。第５の実施形態において、第１、２、３、４実施形態と同一の参照符号を付与した箇所の機能は、第１、２、３、４実施形態で説明した通りであるため、説明を省略する。
【００４７】
圧電素子５は、レンズ部１のフレームに取り付け可能な、剛性のある取付フレーム７に埋設されている。図７では、圧電素子５を埋設された取付フレーム７の形状は、取付時にレンズと向かい合う箇所が空洞になった環状になっている。圧電素子５の振動によって取付フレーム７もまた同様に振動するため、従って、圧電素子５の振動が取付フレーム７およびレンズ部１のフレームを介して頭蓋骨に伝搬することになる。レンズ部１のフレームへの取付フレーム７の取付機構としては、環状の取付フレーム７の周回に沿って環状に設けられた凸型爪を、同じくその凸型爪の環状形状に合わせてレンズ部１のフレームに設けられた凹型爪に、嵌め込むことによって取り付ける機構や、取付フレーム７の外端部と、取付フレーム７のその外端部に向かい合う、レンズ部１のフレームの外端部と、を挟み込んで留める（圧着する）クリップ部を取付フレーム７の外端部に複数箇所設ける機構などが挙げられる。この取付機構において重要な点は、取付フレーム７の振動がレンズ部１のフレームに伝わるよう、取付フレーム７とレンズ部のフレームとを、広い接触範囲でまたは複数箇所で固定することにある。
【００４８】
また、圧電素子５の埋設箇所は、図７では、ゴーグル装着者の視界を妨げないように取付フレーム７の外端部付近にしている。圧電素子５とリード線４との接続機構は、リード線４と圧電素子５を接触させた状態で取付フレーム７とリード線４外皮のゴム素材とを一体形成することにより接続するものである。
【００４９】
なお、圧電素子５の形状は、上述の形状に限るものではなく、棒状の形状であっても良いし、取付フレームの形状に沿った環状形状にしても良い。また、圧電素子５の埋設箇所は、圧電素子５が取付フレーム７によって被覆されることが可能な箇所であれば、ゴーグル装着者が聴く音の音質にほとんど支障はない。
【００５０】
本発明の第５実施形態のゴーグルによれば、レンズ部１はバンド２の強力な弾性力によって人体頭部の眼窩に圧着されるためレンズ部１と人体頭部との密着程度が緩むことはなく、かつ、圧電素子５の振動は剛性を有する取付フレーム７およびレンズ部１によって減衰すること無く頭蓋骨に伝搬するため、ゴーグル装着者は、ゴーグル装着中にゴーグルに対して強い外力が働いても、圧電素子５の密着程度が緩むこと無く、骨伝導聴力によって鮮明な音を聞き取ることができる。また、既存のゴーグルに取付フレーム７を装着することにより、ゴーグル購入者の経済的負担を軽減することができる。
【００５１】
なお、本発明の第５実施形態のゴーグルでは、装着時に左眼窩に位置するゴーグル箇所に取付フレーム７を取り付ける構成としたが、ゴーグル右側とゴーグル右側の形状を対称にするために、右眼窩にも取付フレーム７と対称なフレームを装着する構成であっても構わない。また、ゴーグルの形状を、取付フレーム７を取り付ける部位（図７では左眼窩に該当）の厚みを取付ゴーグル７を取り付けない部位（図７では右眼窩に該当）の厚みよりも薄くなるように設計し、取付フレーム７をゴーグルに取り付けたときにゴーグル右側とゴーグル右側の形状が対称になるようしておくことも考えられる。この構成であれば、例えば水泳競技の場合、頭部右側と頭部左側における水流を略同一にすることができるため、頭部の左右方向に余計な外力が働くことを防ぐことができる。
【産業上の利用可能性】
【００５２】
本発明のゴーグルによれば、骨伝導スピーカを搭載したゴーグル装着者に、骨伝導聴力による音を鮮明に聞き取らせることができるという効果を奏し、従来、ゴーグルに設けられた音出力手段（イアフォンや骨伝導スピーカ）と人体頭部との密着程度が緩み易かった、水泳やスカイダイビング等の競技用ゴーグルとしても、活用することができる。
【図面の簡単な説明】
【００５３】
【図１】本発明の第１実施形態のゴーグルの斜視図
【図２】本発明の第１実施形態のゴーグルが備える通信ユニットの斜視図
【図３】本発明の第１実施形態のゴーグルの平面図
【図４】本発明の第２実施形態のゴーグルにおけるフレームの断面図
【図５】本発明の第３実施形態のゴーグルにおけるフレームの斜視図
【図６】本発明の第４実施形態のゴーグルが備える通信ユニットの斜視図
【図７】本発明の第５実施形態のゴーグルの斜視図
【図８】特許文献１記載のゴーグルの斜視図
【符号の説明】
【００５４】
１、１０１  レンズ部
１１、１１１  レンズ
１２、１１２  環状フレーム
１２１  凹型係止部
１３、１１３  ブリッジ
１４  外端部
１０５  イアフォン
２、１０２  バンド
２１  バンド長調節部
３、１０３  通信ユニット
３１  固定部材
３１１  凸型爪
３１２  凹型爪
３２  収納溝
３３  接続端子
３４  ゴム素材
４、１０４  リード線
４１  接続端子
５  圧電素子
５１  ゴム素材
５２  凸型係止部
６  平面ケース
７  取付フレーム
【図１】
0004714818.tif 000002
【図２】
0004714818.tif 000003
【図３】
0004714818.tif 000004
【図４】
0004714818.tif 000005
【図５】
0004714818.tif 000006
【図６】
0004714818.tif 000007
【図７】
0004714818.tif 000008
【図８】
0004714818.tif 000009